(57)【要約】【課題】簡素な構造で、便器のボウル部に被る衛生洗浄装置の底面部材に付着した汚れを拭き掃除で容易に除去することができる、衛生洗浄装置を提供する。【解決手段】衛生洗浄装置１０は、衛生洗浄用のノズル１を備え、底面部材２の一部が洋式便器３のボウル部４の後部を被う状態で洋式便器３上に設置されるものである。衛生洗浄装置１０を構成する底面部材２の下面のうちの、ボウル部４に臨む領域をボウル部４側に突出する膨出面５で形成し、膨出面５の一部にノズル１の出入口６を設けている。前面部と後面部５ｒとで構成された膨出面５は、段差部分、角縁部分などのない滑らかな連続した曲面をなし、後面部５ｒは、底面部材２のうち洋式便器３の上縁３ａ後部に重なる面２ａから連続して湾曲させた面で構成されている。【選択図】  図３
2006138101.tif 000002
【特許請求の範囲】
【請求項１】
衛生洗浄用のノズルを備え、底面部材の一部が洋式便器のボウル部の後部を被う状態で前記洋式便器上に設置される衛生洗浄装置であって、前記底面部材の前記ボウル部に臨む領域を前記ボウル部側に突出する膨出面で形成し、前記膨出面に前記ノズルの出入口を設けたことを特徴とする衛生洗浄装置。
【請求項２】
前記膨出面を連続した曲面で形成したことを特徴とする請求項１記載の衛生洗浄装置。
【請求項３】
前記膨出面を、前方側に位置する前面部と後方側に位置する後面部とで構成し、前記前面部の傾斜角度を３０度〜４５度とし、前記前面部に前記ノズルの出入口を設けたことを特徴とする請求項１または２記載の衛生洗浄装置。
【請求項４】
前記後面部を、前記底面部材のうちの洋式便器に重なる面から連続して湾曲させた面で構成したことを特徴とする請求項３記載の衛生洗浄装置。
【請求項５】
前記後面部を、最大傾斜角度が４５度以下の傾斜面で構成したことを特徴とする請求項３記載の衛生洗浄装置。
【請求項６】
前記膨出面の一部に、前記洋式便器のボウル部の臭気を吸引する脱臭用の開口部を設け、前記開口部に前記膨出面と連続した凸面を形成する凸面形状の脱臭フィルタを引き出し可能に配置したことを特徴とする請求項１〜５のいずれかに記載の衛生洗浄装置。
【請求項７】
前記膨出面の前面部と後面部との境界付近の一部に排水用の開口部を設けたことを特徴とする請求項１〜６のいずれかに記載の衛生洗浄装置。
【請求項８】
平板状の底面部材と前記底面部材の上方に設けられる上面カバーとで形成された内部空間に衛生洗浄用のノズルを備え、前記底面部材の一部が洋式便器のボウル部の後部を被う状態で前記洋式便器上に設置され、前記底面部材の一部に前記ノズルの出入口、前記洋式便器のボウル部の臭気を吸引する脱臭用の開口部、排水用の開口部をそれぞれ設けてなる衛生洗浄装置であって、前記ノズルの出入口、脱臭用の開口部、排水用の開口部を、前記底面部材の一部を前記ボウル部側に突出させた膨出面に開設するとともに、前記膨出面と前記ボウル部の上部側面との間に指挿入部を設けたことを特徴とする衛生洗浄装置。
【発明の詳細な説明】
【技術分野】
【０００１】
本発明は、洋式便器に取り付けて使用される衛生洗浄装置に関する。
【背景技術】
【０００２】
近年、洋式便器の多機能化が進み、便器上面の後部には、排便後の衛生洗浄機構あるいは便座や便蓋の開閉機構などを備えた衛生洗浄装置が取り付けられている。このような衛生洗浄装置は、便器のボウル部に向けて衛生洗浄用のノズルを進出させる必要があるため、通常、その底面部材の一部が便器のボウル部を被う状態で、便器の後部に取り付けられている。
【０００３】
図１３は従来の衛生洗浄装置の底面部材の下面部分を示す斜視図であるが、底面部材９０は図中の二点鎖線９５に沿ってボウル部内縁が位置するような状態で便器上に設置される。底面部材９０は概略平板状に形成されているが、衛生洗浄装置の各種部品を取り付けるためのボスやリブを設ける関係上、通常、寸法精度が良好で、しかも剛性の高いＡＢＳ樹脂が用いられ、上面カバーや便座・便蓋は耐薬品性に優れ、外観性も良いＰＰ樹脂が用いられている。なお、ＡＢＳ樹脂は、その表面エネルギーがＰＰ樹脂より高く、ＰＰ樹脂より汚れが付着しやすい性質を持っている。
【０００４】
この底面部材９０の前縁寄りの部分には、ノズル９６の出入口９１や衛生洗浄装置の内部機構からの捨て水の排水孔９２が設けられている。また、これらの出入口９１や排水孔９２から出てくる水が底面部材９０と便器との間に浸入しないようにするために、出入口９１や排水孔９２の周囲に便器のボウル部方向に突出したリブ９３，９４が形成されている。このため、衛生洗浄装置の底面部材９０の、便器のボウル部を被う部分は、角部（隅部）の多い形状となっている。
【０００５】
衛生洗浄装置付きの洋式便器を使用した場合、衛生洗浄水が人体に反射されて生じた汚水や小便などが、ボウル部に臨む位置にある底面部材９０の下面部分の一部（二点鎖線９５の内側の領域）に付着するが、下面部分の汚れは気付かないことが多く、悪臭発生の原因となっていた。この場合、底面部材９０の平面部分に付着した汚れは雑巾などで拭き取れるが、特に、ノズル９６の出入口９１や排水孔９２の周囲のリブ９３，９４の基端部に形成された角部（隅部）に付着した汚れは、後から拭き掃除しても、狭い角部（隅部）に雑巾が入り込まないので除去することができず、悪臭発生の大きな要因の一つとなっていた。さらに、ＡＢＳ樹脂製の底面部材は表面エネルギーが高く、時間が経過すると、こびりついた汚れとなってしまい、悪臭の発生を一層助長していた。
【０００６】
そこで、底面部材の掃除がすることができるようにするため、ボウル部に被る部分に位置する底面部材（着脱パネル）を取り外しできるようにしたものが提案されている（例えば、特許文献１参照。）。この衛生洗浄装置においては、掃除が必要となったときに着脱パネルを外して、いわゆる丸洗いをして汚れを除去することができる。また、衛生洗浄装置を便器から持ち上げるための昇降機構を備えたものも提案されている（例えば、特許文献２参照。）。このものにおいては、昇降機構を用いて、衛生洗浄装置の一部を便器から持ち上げると、便器と衛生洗浄装置との隙間が広がるため、手などを差し込んで、底面部材の下面を容易に拭き掃除することができる。
【０００７】
【特許文献１】特開平５−１４８８７９号公報
【特許文献２】特開２００１−３４２６６９号公報
【発明の開示】
【発明が解決しようとする課題】
【０００８】
特許文献１に記載の衛生洗浄装置の場合、掃除の度に着脱パネルを取り外す必要があるため、作業が煩雑となる上、着脱パネルの離脱、装着を頻繁に繰り返すうちに部品が破損するおそれがある。
【０００９】
一方、特許文献２に記載のトイレ装置（洋風水洗式便器）の場合、用便行為の際に使用される洗浄機能などと直接関係のない昇降機構が内蔵されるため、構造の複雑化、装置の大型化を招きがちであり、動く部分は故障あるいは耐久性低下の原因となりやすい。また、掃除の度に装置を持ち上げなければならないので、取り扱いが煩雑であり、力の弱い人や手先の不自由な人などにとっては昇降操作そのものが肉体的負担となることがある。
【００１０】
さらに、特許文献１，２記載のいずれの従来技術においても、ノズルの出入口や排水孔の周囲のリブにこびりついた汚れを拭き掃除で簡単に除去することはできず、着脱パネルの離脱・装着あるいは衛生洗浄装置の昇降といった面倒な作業を必要とする割りには、肝心の汚れを十分に除去することができないのが実状である。
【００１１】
本発明が解決しようとする課題は、簡素な構造で、便器のボウル部に被る衛生洗浄装置の底面部材に付着した汚れを拭き掃除で容易に除去することができる、衛生洗浄装置を提供することにある。
【課題を解決するための手段】
【００１２】
本発明の衛生洗浄装置は、衛生洗浄用のノズルを備え、底面部材の一部が洋式便器のボウル部の後部を被う状態で前記洋式便器上に設置される衛生洗浄装置であって、前記底面部材の前記ボウル部に臨む領域を前記ボウル部側に突出する膨出面で形成し、前記膨出面の一部に前記ノズルの出入口を設けたことを特徴とする。なお、本願において「前」および「後」の言葉で表す方向は、洋式便器に用便姿勢で着座した使用者を基準にした方向をいう。
【００１３】
このような構成とすれば、衛生洗浄装置の底面部材のうち洋式便器のボウル部を被う部分がボウル部側に膨らんだ形状となるため、簡素な構造にして、簡単に拭き掃除を行うことが可能となり、付着した汚れを容易に除去することができる。
【００１４】
ここで、前記膨出面を連続した曲面で形成すれば、膨出面は段差部分、角縁部分などのない滑らかな形状となるため、拭き掃除がさらに容易となる。
【００１５】
また、前記膨出面を、前方側に位置する前面部と後方側に位置する後面部とで構成し、前記前面部の傾斜角度を３０度〜４５度とし、前記前面部に前記ノズルの出入口を設けることが望ましい。このような構成とすれば、便器使用者が自然な姿勢でボウル部を目視したとき、膨出面の前面部が見え難くなり、前面部に付着した汚水などが視認され難くなるため、前記使用者に不衛生な感じを与えることがなくなる。
【００１６】
さらに、前記後面部を、前記底面部材のうち洋式便器に重なる面から連続して湾曲させた面で構成することが望ましい。このような構成とすれば、掃除が必要となったとき、湾曲面に沿って払拭するだけで、ボウル部に被った底面部材の下面を簡単に掃除することができる。また、膨出面の後面部は、便器に重なる面から前方に向かって次第に傾斜が急となる凹凸のない湾曲面で形成されているため、製品ごとの寸法差が生じやすい陶器製の洋式便器上であっても、寸法差に起因する支障が生じることなく設置することができる。
【００１７】
また、前記後面部を、最大傾斜角度が４５度以下の傾斜面で構成すれば、後面部と洋式便器のボウル部の上部側面の間に手指を挿入するスペースを設けることができるので、奥まで手指を入れての拭き掃除が可能となる。
【００１８】
一方、前記膨出面の一部に、前記洋式便器のボウル部の臭気を吸引する脱臭用の開口部を設け、前記開口部に前記膨出面と連続した凸面を形成する凸面形状の脱臭フィルタを引き出し可能に配置することが望ましい。このような構成とすれば、膨出面と脱臭フィルタとによって凹部のない連続した凸面が形成されるため、汚れが付着しにくく、拭き掃除も容易となる。また、脱臭フィルタを出し入れ可能としているため、前記膨出面の開口部から脱臭フィルタのみを取り外して念入りに掃除することも可能となる。
【００１９】
また、前記膨出面の前面部と後面部との境界付近の一部に排水用の開口部を設けることが望ましい。このような構成とすれば、開口部は膨出面の最下部寄りに位置するため、開口部から排出された排水が膨出面を伝って落下することがなくなり、膨出面への汚れ付着を防止することができる。
【００２０】
また、本発明の衛生洗浄装置は、平板状の底面部材と前記底面部材の上方に設けられる上面カバーとで形成された内部空間に衛生洗浄用のノズルを備え、前記底面部材の一部が洋式便器のボウル部の後部を被う状態で前記洋式便器上に設置され、前記底面部材の一部に前記ノズルの出入口、前記洋式便器のボウル部の臭気を吸引する脱臭用の開口部、排水用の開口部をそれぞれ設けてなる衛生洗浄装置であって、前記ノズルの出入口、脱臭用の開口部、排水用の開口部を、前記底面部材の一部を前記ボウル部側に突出させた膨出面に開設するとともに、前記膨出面と前記ボウル部の上部側面との間に指挿入部を設けたことを特徴とする。
【００２１】
このような構成とすれば、衛生洗浄装置の底面部材のうち、洋式便器のボウル部を被う部分がボウル部側に膨らんだ形状となり、その膨らんだ膨出面に、ノズルの出入口、脱臭用の開口部、排水用の開口部をリブなどの突起がない状態に設け、さらに、膨出面の後方奥に指挿入部を設けたので、簡素な構造にして、底面部材のボウル部の縁に沿う部分まで手指を差し込んで簡単に拭き掃除を行うことが可能となり、付着した汚れを容易に除去することができる。
【発明の効果】
【００２２】
本発明により、洋式便器のボウル部に被る衛生洗浄装置の底面部材に付着した汚れを拭き掃除で容易に除去することが可能となる。
【発明を実施するための最良の形態】
【００２３】
以下、図面に基づいて、本発明の実施の形態である衛生洗浄装置について説明する。図１は本発明の実施の形態である衛生洗浄装置を便座および便蓋を取り外した状態で示す斜視図、図２は前記衛生洗浄装置の平面図、図３は図２におけるＡ−Ａ線断面図、図４は図２におけるＢ−Ｂ線断面図、図５は図４における矢線Ｃ方向から見た部分斜視図、図６は前記衛生洗浄装置を洋式便器から取り外した状態で示す部分斜視図、図７は図６の一部拡大図、図８は図７におけるＤ−Ｄ線断面図、図９は図５に示す膨出面の垂直断面形状を示す一部省略図である。
【００２４】
図１〜図４に示すように、本実施形態の衛生洗浄装置１０では、ＡＢＳ樹脂製の底面部材２の上方にＰＰ樹脂製の上面カバー１０ａが設けられ、衛生洗浄装置１０本体の内部に洋式便器３のボウル部４に向かって出入りする衛生洗浄用のノズル１を備え、底面部材２の一部が洋式便器３のボウル部４の後部を被う状態で、洋式便器３の上縁３ａの後部に設置される。底面部材２は、ＡＢＳ樹脂の射出成形品であって、概略平面形状に形成されているが、底面部材２のボウル部４に臨む領域を、ボウル部４側に突出する角部（隅部）のない膨出面５として形成している。そして、膨出面５の一部にノズル１の出入口６を設けている。
【００２５】
図５〜図７に示すように、膨出面５は、前方側に位置する前面部５ｆと後方側に位置する後面部５ｒとで構成された連続した一曲面で形成され、前面部５ｆの中央を左右に割くようにしてノズル１の出入口６が設けられている。後面部５ｒは、底面部材２のうち洋式便器３の上縁３ａ後部に重なる面２ａから滑らかに連続した凹凸のない曲面で構成され、上縁３ａ後部に重なる面２ａには、上縁３ａと底面部材２との間に挟持されるパッキン７が配置されている。
【００２６】
また、膨出面５の一部には、洋式便器３のボウル部４の臭気を吸引する脱臭用の開口部８が設けられ、この開口部８には、図８に示すように、膨出面５の曲面と連続する凸面を形成する凸面形状の脱臭フィルタ９が前方に引き出し可能、且つ着脱可能に配置されている。さらに、膨出面５の前面部５ｆと後面部５ｒとの境界をなす稜線部５ｍ付近に排水用の開口部１１が設けられている。本実施形態においては、出入口６を間に挟んで、左側に脱臭用の開口部８が配置され、右側に排水用の開口部１１が配置されている。
【００２７】
衛生洗浄装置１０の使い方や洗浄機能などは、従来の衛生洗浄装置と同様であるが、底面部材２の下面部分に形成された膨出面５は、洋式便器３のボウル部４側に突出した角部（隅部）のない形状となっているため、簡素な構造で、簡単に拭き掃除を行うことが可能であり、付着した汚れを容易に除去することができる。
【００２８】
また、膨出面５を連続した曲面で形成したことにより、図１３で示した従来の衛生洗浄装置の底面部材９０に存在している段差部分、角縁部分などの無い、滑らかな形状となっているため、拭き掃除は極めて容易である。よって、衛生洗浄に供された後の汚水や小便などが膨出面５に付着して、こびりついた汚れとなるような事態が発生しない。また、上面カバー１０ａや便座・便蓋に付着した汚れは、汚れが付着したことに気付きやすい上、ＰＰ樹脂製であるため、直ぐに拭き掃除することで極めて簡単に汚れを除去できる。さらに、パッキン７をボウル部４の縁に合わせて配置しているため、汚水が底面部材２と洋式便器３の上縁３ａとの間に入り込むことも無い。即ち、本実施形態の衛生洗浄装置１０を洋式便器３に取り付けてなるトイレ装置は、汚臭発生の原因をほぼ無くすことができる。
【００２９】
さらに、図９に示すように、膨出面５の前方側に位置する前面部５ｆの傾斜角度Ｒを４０度とし、この前面部５ｆにノズル１の出入口６を設けている。このため、洋式便器３の前に使用者が自然に立った姿勢でボウル部４を目視したとき、膨出面５の前面部５ｆは見え難い角度となり、前面部５ｆに付着した汚水などが視認され難くなるため、使用者に不衛生な感じを与えることがない。また、出入口６は、膨出面５の最下端に至るまで開設しているので、衛生洗浄装置１０内で発生した溢れ水は、膨出面５の上面側に溜まることなく、出入口６からボウル部４に排出される。
【００３０】
なお、前面部５ｆの傾斜角度Ｒが４５度を超えると、洋式便器３の前に使用者が立った姿勢で膨出面５の前面部５ｆが見えてしまい、傾斜角度Ｒが３０度より小さくなると、格納された状態のノズル１の一部が出入口６から露出してしまうので好ましくない。
【００３１】
一方、膨出面５の後方に位置する後面部５ｒは、底面部材２のうち洋式便器３の上縁３ａ後部に重なる面２ａから連続した凹凸のない曲面で構成しているため、掃除が必要となったとき、曲面である後面部５ｒに沿って払拭するだけで、ボウル部４に被った底面部材２の下面を簡単に掃除することができる。また、膨出面５の後面部５ｒは、洋式便器３の上縁３ａ後部に重なる面２ａから前方に向かって最大傾斜角度が４５度を超えない程度に次第に傾斜が急となるように湾曲させているため、製品ごとの寸法差が生じやすい陶器製の洋式便器３上であっても、寸法差に起因する支障が生じることなく設置することができる。
【００３２】
さらに、膨出面５の後面部５ｒの傾斜を４５度以下としたことにより、膨出面５とボウル部４の上部側面の間に手指の挿入を許容する指挿入部２１が形成されるため、底面部材２の、ボウル部４の縁に沿う奥側の部分まで、手指を差し込んでの拭き掃除が簡単にできるようになり、付着した汚れを容易に除去することができる。
【００３３】
また、膨出面５の後面部５ｒを形成する曲面は、洋式便器３の上縁３ａ後部に重なる面２ａから湾曲し始める変曲点（コーナー部）Ｓ１および後面部５ｒの変曲点（コーナー部）Ｓ２を、それぞれ曲率半径５ｍｍ〜１０ｍｍ程度の曲面とすることによって角部を無くしている。これらの変曲点Ｓ１，Ｓ２部分の曲率半径を５ｍｍ以上とすると、雑巾の繊維が変曲点Ｓ１，Ｓ２部分に入り込むことができるため、これらの部分に付着した汚れを拭き取ることができる。なお、本実施形態では、膨出面５の前面部５ｆと後面部５ｒとの境界をなす稜線部５ｍも曲率半径５ｍｍ〜１０ｍｍ程度の曲面をなすように形成している。
【００３４】
ここで、図１０は図１に示す衛生洗浄装置１０を構成する底面部材２を示す斜視図である。前述したように、衛生洗浄装置１０を洋式便器３上に設置する場合、洋式便器３の上縁３ａ後部と衛生洗浄装置１０の底面部材２との間にパッキン７が挟持される（図９参照）。このパッキン７は、図２，図１０に示すように、便器３の上縁３ａ後部の円弧部分３ｒに沿うように湾曲形状に配置された中央部７ａと、この中央部７ａから左右に延設され底面部材２の前縁部２ｆに沿って直線形状に配置された端部７ｂとで形成され、両面テープなどで底面部材２に貼着されている。パッキン７の中央部７ａは、小便などの汚水がボウル部４から底面部材２と便器３の上縁３ａとの隙間に浸入するのを防止する機能を有し、左右の端部７ｂは、上縁３ａの表面にかかった汚水などが前記隙間に浸入するのを防止する機能を有している。
【００３５】
また、図１１は、図１で示した衛生洗浄装置１０の内部構造を示す一部分解斜視図である。図１１に示すように、膨出面５の一部に脱臭用の開口部８を設け、この開口部８に設けたアダプタ２０に、膨出面５と連続した凸面を形成する凸面形状の脱臭フィルタ９を引き出し可能且つ着脱可能に配置している。これにより、膨出面５と脱臭フィルタ９とによって角部（隅部）のない連続した凸面が形成されるため（図５，図８参照）、汚れが付着しにくく、拭き掃除も容易である。
【００３６】
また、脱臭フィルタ９を着脱可能としたことにより、図１１に示すように、膨出面５の開口部８から脱臭フィルタ９のみを取り外して念入りに掃除することもできる。脱臭フィルタ９の前縁部分には、舌片形状に突出した着脱用の摘み９ａが設けられているため、この摘み９ａを指先で挟持することにより、容易に着脱作業を行うことができる。さらに、脱臭フィルタ９は平面形状が略三角形状とされ、その平面形状に合った受け部が底面部材２に形成されているので、脱臭フィルタ９は図１１に示す方向に差し込めるが、逆方向から差し込むことはできない。このように、脱臭フィルタ９の誤装着の防止が図られているため、膨出面５と脱臭フィルタ９とは、脱臭フィルタ９装着状態で段差が生じることがなく、拭き掃除の際に雑巾が引っ掛かったり、段差に汚れが残ったりすることがない。
【００３７】
次に、図１２を参照して、膨出面５の一部に設けられた排水用の開口部１１（図５参照）について説明する。図１２は図１で示した衛生洗浄装置１０の内部構造を示す斜視図である。
【００３８】
図１２に示すように、衛生洗浄装置１０の上面カバー１０ａ（図３参照）を取り外すと、底面部材２上に取り付けられた、ノズル１、熱交換ユニット１２、バキュームブレーカ１３、制御基板１４、乾燥用ダクト１５、ノズル洗浄室１６、ノズル洗浄水経路１７、排水経路１８および洗浄水経路１９、開口部８に連通する脱臭装置（図示せず）などの各種構成部材が露出する。
【００３９】
排水経路１８の先端部は、底面部材２の上面側から排水用の開口部１１に接続され、排水経路１８の基端部は、熱交換ユニット１２の下流側のバキュームブレーカ１３および安全弁（図示せず）に接続されている。
【００４０】
バキュームブレーカ１３あるいは安全弁（図示せず）から排出された水は、排水経路１８を経由して排水用の開口部１１から便器内に排出される。図５で示したように、開口部１１を、膨出面５の前面部５ｆと後面部５ｒとの境界である稜線部５ｍの一部に設けたことにより、開口部１１は膨出面５の最下部寄りに位置するため、開口部１１から排出された排水が膨出面５を伝って落下することがない。このため、開口部１１からの排水に起因する膨出面５への汚れ付着を防止することができる。
【００４１】
本発明は上述した実施形態に限定されることなく、種々の変形が可能であり、例えば、膨出面５をなだらかなＷ形状にしても良く、底面部材２の材質としてＰＰ樹脂などを用いても構わない。また、特許文献１で説明した昇降機構付きの衛生洗浄装置の底面部材に本発明を適用することもできる。さらに、底面部材にフッ素樹脂やシリコーン樹脂などで形成された防汚性を備えたコーティング層を設けると、より一層汚れを払拭しやすくなる。
【産業上の利用可能性】
【００４２】
本発明の衛生洗浄装置は、一般家庭のトイレから公共設備に設けられたトイレに至るまで様々な場所のトイレにおいて広く利用することができる。
【図面の簡単な説明】
【００４３】
【図１】本発明の実施の形態である衛生洗浄装置を便座および便蓋を取り外した状態で示す斜視図である。
【図２】図１に示す衛生洗浄装置の平面図である。
【図３】図２におけるＡ−Ａ線断面図である。
【図４】図２におけるＢ−Ｂ線断面図である。
【図５】図４における矢線Ｃ方向から見た部分斜視図である。
【図６】図１に示す衛生洗浄装置を洋式便器から取り外した状態で示す部分斜視図である。
【図７】図６の一部拡大図である。
【図８】図７におけるＤ−Ｄ線断面図である。
【図９】図５に示す膨出面の垂直断面形状を示す一部省略断面図である。
【図１０】図１に示す衛生洗浄装置を構成する底面部材を示す斜視図である。
【図１１】図１に示す衛生洗浄装置の内部構造を示す一部分解斜視図である。
【図１２】図１に示す衛生洗浄装置の内部構造を示す斜視図である。
【図１３】従来衛生洗浄装置を構成する底面部材を示す斜視図である。
【符号の説明】
【００４４】
１  ノズル
２  底面部材
２ａ  重なる面
２ｆ  前縁部
３  洋式便器
３ａ  上縁
３ｒ  円弧部分
４  ボウル部
５  膨出面
５ｆ  前面部
５ｍ  稜線部
５ｒ  後面部
６  出入口
７  パッキン
７ａ  中央部
７ｂ  端部
８，１１  開口部
９  脱臭フィルタ
９ａ  摘み
１０  衛生洗浄装置
１０ａ  上面カバー
１２  熱交換ユニット
１３  バキュームブレーカ
１４  制御基板
１５  乾燥用ダクト
１６  ノズル洗浄室
１７  ノズル洗浄水経路
１８  排水経路
１９  洗浄水経路
２０  アダプタ
２１  指挿入部
Ｒ  傾斜角度
Ｓ１，Ｓ２  変曲点
【図１】
2006138101.tif 000003
【図２】
2006138101.tif 000004
【図３】
2006138101.tif 000005
【図４】
2006138101.tif 000006
【図５】
2006138101.tif 000007
【図６】
2006138101.tif 000008
【図７】
2006138101.tif 000009
【図８】
2006138101.tif 000010
【図９】
2006138101.tif 000011
【図１０】
2006138101.tif 000012
【図１１】
2006138101.tif 000013
【図１２】
2006138101.tif 000014
【図１３】
2006138101.tif 000015
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
平板状の底面部材と前記底面部材の上方に設けられる上面カバーとで形成された内部空間に衛生洗浄用のノズルを備え、前記底面部材の一部が洋式便器のボウル部の後部を被う状態で前記洋式便器上に設置され、前記底面部材の一部に前記ノズルの出入口、前記洋式便器のボウル部の臭気を吸引する脱臭用の開口部、排水用の開口部をそれぞれ設けてなる衛生洗浄装置であって、前記ノズルの出入口、脱臭用の開口部、排水用の開口部を、前記底面部材の一部を前記ボウル部側に突出させた膨出面に開設するとともに、前記膨出面と前記ボウル部の上部側面との間に指挿入部を設けたことを特徴とする衛生洗浄装置。
【請求項２】
前記膨出面を連続した曲面で形成したことを特徴とする請求項１記載の衛生洗浄装置。
【手続補正２】
【補正対象書類名】明細書
【補正対象項目名】００１２
【補正方法】変更
【補正の内容】
【００１２】
本発明の衛生洗浄装置は、平板状の底面部材と前記底面部材の上方に設けられる上面カバーとで形成された内部空間に衛生洗浄用のノズルを備え、前記底面部材の一部が洋式便器のボウル部の後部を被う状態で前記洋式便器上に設置され、前記底面部材の一部に前記ノズルの出入口、前記洋式便器のボウル部の臭気を吸引する脱臭用の開口部、排水用の開口部をそれぞれ設けてなる衛生洗浄装置であって、前記ノズルの出入口、脱臭用の開口部、排水用の開口部を、前記底面部材の一部を前記ボウル部側に突出させた膨出面に開設するとともに、前記膨出面と前記ボウル部の上部側面との間に指挿入部を設けたことを特徴とする。なお、本願において「前」および「後」の言葉で表す方向は、洋式便器に用便姿勢で着座した使用者を基準にした方向をいう。
【手続補正３】
【補正対象書類名】明細書
【補正対象項目名】００１３
【補正方法】変更
【補正の内容】
【００１３】
このような構成とすれば、衛生洗浄装置の底面部材のうち、洋式便器のボウル部を被う部分がボウル部側に膨らんだ形状となり、その膨らんだ膨出面に、ノズルの出入口、脱臭用の開口部、排水用の開口部をリブなどの突起がない状態に設け、さらに、膨出面の後方奥に指挿入部を設けたので、簡素な構造にして、底面部材のボウル部の縁に沿う部分まで手指を差し込んで簡単に拭き掃除を行うことが可能となり、付着した汚れを容易に除去することができる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】